(57)【要約】【課題】搬送時などに読取ユニットとハウジングとが揺動し、揺動支持する結合部が破損したり、読取ユニットとハイジングどうしが衝突して破損したりする不具合を防止する。【解決手段】原稿を光学的に読み取るイメージセンサなどの読取手段を有するセンサユニット１２などの読取ユニットと、読取ユニットを揺動可能に支持するハウジング２３と、読取ユニット及びハウジングを収容するスキャナフレーム部５などの構造体と、ハウジング及び読取ユニットの少なくとも何れか一方に設けられたねじ穴２５などの被固定部と、を備え、ねじ２１などの固定部材を被固定部に固定することにより、読取ユニットとハウジングとが互いに揺動を規制された状態で構造体に対して係止される画像読取装置である。【選択図】図８
2019161555.tif 000002
【特許請求の範囲】
【請求項１】
原稿を光学的に読み取る読取手段を有する読取ユニットと、
前記読取ユニットを揺動可能に支持するハウジングと、
前記読取ユニット及び前記ハウジングを収容する構造体と、
前記ハウジング及び前記読取ユニットの少なくとも何れか一方に設けられた被固定部と、を備え、
固定部材を前記被固定部に固定することにより、前記読取ユニットと前記ハウジングとが互いに揺動を規制された状態で前記構造体に対して係止される画像読取装置。
【請求項２】
請求項１記載の画像読取装置において、
前記読取ユニットは、前記読取手段によって前記原稿が読み取られる読取方向と直交する直交方向に移動可能に構成されており、
前記被固定部を、前記読取ユニットの前記読取方向のほぼ中心に設けたことを特徴とする画像読取装置。
【請求項３】
請求項１又は２記載の画像読取装置において、
前記固定部材は、先端部に形成されたねじ部と、該ねじ部の長手方向と直交する方向に延びたピン部とからなり、
前記読取ユニットの前記被固定部には、前記固定部材の前記ねじ部が挿通される穴と、前記ピン部と係合して前記読取ユニットの揺動を規制する規制面とが形成され、
前記ハウジングの前記被固定部には、前記ねじ部が締め込まれるねじ穴が形成されていることを特徴とする画像読取装置。
【請求項４】
請求項３記載の画像読取装置において、
前記ハウジングの前記被固定部は、前記ねじ部の先端の貫通を阻止する底壁有りのねじ穴であり、
前記ねじ部が前記底壁有りのねじ穴に締め込まれたときに、前記ピン部が前記読取ユニットの前記規制面と係合することにより、前記読取ユニットの揺動が規制されることを特徴とする画像読取装置。
【請求項５】
請求項３又は４記載の画像読取装置において、
前記固定部材は、コインねじであることを特徴とする画像読取装置。
【請求項６】
請求項１ないし５の何れか１つに記載の画像読取装置において、
原稿を載置する静止原稿読取部と、
前記静止原稿読取部の読取面に対して傾斜した読取面を有して接続する、原稿が通過する移動原稿読取部と、
前記移動原稿読取部を通過した前記原稿を排出する排出部と、
前記移動原稿読取部を通り前記排出部に前記原稿をほぼ直線状に搬送する直線搬送経路と、
前記静止原稿読取部の前記読取面と、前記移動原稿読取部の傾斜した前記読取面とに前記読取手段を押圧する、前記読取ユニットと前記ハウジングとの間に設けられた押圧部材と、を備え、
前記読取ユニット及び前記ハウジングは、前記静止原稿読取部と前記移動原稿読取部との間を往復移動可能に設けられていることを特徴とする画像読取装置。
【請求項７】
請求項６記載の画像読取装置において、
前記読取手段は、前記静止原稿読取部の前記読取面と、前記移動原稿読取部の傾斜した前記読取面とに接触することで傾斜変位可能に前記読取ユニットに配置され、前記静止原稿読取部に載置された原稿の画像と前記移動原稿読取部を通過する原稿の画像とを選択的に読み取るように構成されており、
前記読取手段が前記移動原稿読取部の前記読取面に接触しない位置状態で、前記読取ユニットと前記ハウジングとが前記構造体に対して係止されることを特徴とする画像読取装置。
【請求項８】
請求項１ないし７の何れか１つに記載の画像読取装置において、
前記ハウジングは、回転支点を中心に回転可能に前記読取ユニットを支持することを特徴とする画像読取装置。
【請求項９】
請求項１ないし８の何れか１つに記載の画像読取装置において、
前記移動原稿読取部に原稿を搬送する自動原稿搬送装置を備えたことを特徴とする画像読取装置。
【請求項１０】
請求項１ないし９の何れか１つに記載の画像読取装置を備えたことを特徴とする画像形成装置。
【発明の詳細な説明】
【技術分野】
【０００１】
本発明は、画像読取装置及び画像形成装置に関する。
【背景技術】
【０００２】
複写機やファクシミリ、イメージスキャナ等に用いられる画像読取装置において、原稿を載置するための透明板と、原稿から得られる光を受光するイメージセンサと、このイメージセンサを載置し一部が透明板に接触しつつ移動するホルダと、を有する画像読取装置が知られている（例えば、特許文献１）。
【０００３】
特許文献１には、イメージセンサやホルダが透明板に接触していると、搬送時の振動等によってイメージセンサやそのホルダによって透明板が傷つくことを防止する目的で、以下の構成を備えた画像読取装置が開示されている。
即ち、透明部材に対しバネでセンサユニットを押し当てる構成を持つ光学走査ユニットを持つ画像読取装置において、装置の透明部材（原稿台ガラス（１３０ａ））取付面の外側からネジ（７）を締め、センサホルダ（２）に設けられたネジ（７）と係合する穴（２ｂ）を、バネ（４）の押し当てる方向と逆方向に押す。これにより、センサユニットが押し当らない状態（（原稿台ガラス（１３０ａ）の裏面から離間させた状態）で、光学走査ユニット（密着型イメージセンサ（１０８）を含むセンサホルダ（２））を固定する画像読取装置である。
【０００４】
しかしながら、ネジ（７）は、光学走査ユニット（イメージセンサ（１０８）を含むセンサホルダ（２））のみを固定しており、センサホルダ（２）を回動（揺動）可能に支持するハウジング（キャリッジ（３））は固定していない。そのため、輸送・搬送時などにセンサホルダ（２）とキャリッジ（３）とが回動（揺動）し、回動（揺動）支持する結合部が破損したり、センサホルダ（２）とキャリッジ（３）どうしが衝突して破損したりする虞がある。
【発明の概要】
【発明が解決しようとする課題】
【０００５】
本発明は、上述した事情に鑑みてなされたものであり、搬送時などに読取ユニットとハウジングとが揺動し、揺動支持する結合部が破損したり、読取ユニットとハイジングどうしが衝突して破損したりする不具合を防止することを目的とする。
【課題を解決するための手段】
【０００６】
上記目的を達成するために、本発明は、原稿を光学的に読み取る読取手段を有する読取ユニットと、前記読取ユニットを揺動可能に支持するハウジングと、前記読取ユニット及び前記ハウジングを収容する構造体と、前記ハウジング及び前記読取ユニットの少なくとも何れか一方に設けられた被固定部と、を備え、固定部材を前記被固定部に固定することにより、前記読取ユニットと前記ハウジングとが互いに揺動を規制された状態で前記構造体に対して係止される画像読取装置にある。
【発明の効果】
【０００７】
本発明によれば、搬送時などに読取ユニットとハウジングとが揺動し、揺動支持する結合部が破損したり、読取ユニットとハウジングどうしが衝突して破損したりする不具合を未然に防止することができる。
【図面の簡単な説明】
【０００８】
【図１】本発明の一実施形態に係る画像形成装置の概略的な斜視図である。
【図２】図１の画像形成装置に搭載された一実施形態に係る画像読取装置の斜視図である。
【図３】図２に示す画像読取装置の分解斜視図である。
【図４】本発明の一実施形態に係る画像読取装置及びＡＤＦの構成及び動作を模式化して示す模式的な断面図である。
【図５】一実施形態の光学走査ユニットに用いられる光学走査ユニットの斜視図である。
【図６】図５の光学走査ユニットがＡＤＦ読取位置にあるときの姿勢状態を示す光学走査ユニット周りの断面図である。
【図７】光学走査ユニットをＡＤＦ読取位置に固定するときに用いられるねじの斜視図である。
【図８】（ａ）は一実施形態の光学走査ユニットをねじで締める前の状態を示す一部断面図、（ｂ）は一実施形態の光学走査ユニットをねじで締めた後の状態を示す一部断面図である。
【図９】（ａ）は変形例の光学走査ユニットをねじで締める前の状態を示す一部断面図、（ｂ）は変形例の光学走査ユニットをねじで締めた後の状態を示す一部断面図である。
【発明を実施するための形態】
【０００９】
以下、図を参照して実施例を含む本発明の実施形態を詳細に説明する。各実施形態等に亘り、同一の機能及び形状等を有する構成要素（部材や構成部品）等については、混同の虞がない限り一度説明した後では同一符号を付すことによりその説明を省略する。図及び説明の簡明化を図るため、図に表されるべき構成要素であっても、その図において特別に説明する必要がない構成要素は適宜断わりなく省略することがある。背景技術を含め公開特許公報等の構成要素を引用して説明する場合は、その符号に括弧を付して示し、各実施形態等のそれと区別するものとする。
【００１０】
まず、図１を参照して、本発明の一実施形態に係る画像形成装置について説明する。図１は、本発明の一実施形態に係る画像形成装置の概略的な斜視図である。
図１に示す画像形成装置１は、例えば、電子写真方式のデジタルコピー機、プリンタ、ファクシミリ及びこれらの機能を併有するデジタル複合機として構成されている。画像形成装置１としては、複写機、プリンタ、ファクシミリ、プロッタ或いはこれらの機能を併有する複合機等の画像形成装置が含まれる。
【００１１】
画像形成装置１は、画像読取装置２と、画像読取装置２の上部に搭載された自動原稿搬送装置（以下、ＡＤＦと略称する）３とを備えている。画像形成装置１は、画像読取装置２により読み取られた原稿の画像に係る画像データに基づいて画像形成処理を実行し、読み取った画像をシート状記録媒体としての記録用紙に記録（プリント）したり、画像ファイルを転送出力したりすることができる。画像形成装置１では、内蔵されている制御部によって画像読取装置２及びＡＤＦ３の作動が制御される。
【００１２】
画像読取装置２は、画像読取装置２の主要部であるフラットベッドスキャナの機能を有するとともに、ＡＤＦ３と協働して原稿読取装置としてのＤＦスキャナの機能をも発揮するようになっている。ＡＤＦ３は、ヒンジ等の開閉機構を介して画像読取装置２に対して開閉可能に構成されている。
画像形成装置１は、ＡＤＦ３により原稿を自動搬送しつつその原稿の画像を読み取る搬送原稿読取りモードと、画像読取装置２上に載置された原稿の画像を読み取る載置原稿読み取りモードとに切換え可能になっている。搬送原稿読取りモードはＤＦスキャナモードとも、載置原稿読み取りモードはフラットベッドスキャナモードとも、それぞれ呼ばれる。
【００１３】
図２、図３を参照して、図１の画像形成装置に搭載された一実施形態に係る画像読取装置について説明する。図２は、図１の画像形成装置に搭載された一実施形態に係る画像読取装置の斜視図である。図３は、図２に示す画像読取装置の分解斜視図である。
図２に示すように、画像読取装置２は、スキャナカバー部４、構造体としてのスキャナフレーム部５、コンタクトガラス６、スリットガラス７、傾斜ガイド面８、傾斜ガイド部９を有する。図２等において、Ｓは主走査方向を、Ｆは主走査方向Ｓと交差ないしは直交する副走査方向を、それぞれ示している。
【００１４】
スキャナカバー部４は、矩形状の平面形状を有し、四角枠状のスキャナフレーム部５の上縁部に嵌め込まれた状態で固定されている。スキャナカバー部４は、原稿が静止した状態で載置される静止原稿読取部としてのコンタクトガラス６と、ＡＤＦ３によって搬送された原稿が通過する移動原稿読取部としてのスリットガラス７とを支持している。コンタクトガラス６及びスリットガラス７は、共に透明部材からなる。
【００１５】
コンタクトガラス６は、フラットベッドコンタクトガラスとも呼ばれ、その読取面が平坦な板状の透明部材から構成されている。コンタクトガラス６上に載置される原稿としては、例えば１枚の原稿や、シート原稿の結束物である原稿束、キャッシュカードや厚紙、免許証などの硬いハード原稿、あるいは原稿ジャムが許されない原稿などが挙げられる。
スリットガラス７は、ＤＦコンタクトガラスとも呼ばれ、その読取面が平坦な帯状の透明部材から構成されている。スリットガラス７には、ＡＤＦ３の作動によって、紙などのフレキシブルなカットシートの原稿束から原稿を１枚ずつ分離して原稿搬送路に沿って搬送されてくる搬送途中の原稿の一部が順次対面させることができるようになっている。
【００１６】
また、スリットガラス７の上面は、コンタクトガラス６の上面に対して予め設定された傾斜角をなすよう傾斜した傾斜面をなす。スキャナカバー部４には、スリットガラス７の上面と同一面を形成するように傾斜した傾斜ガイド面８が形成されている。更に、スキャナカバー部４の副走査方向Ｆの他方には、スリットガラス７に対して所定角をなすように傾斜した傾斜ガイド部９が形成されている。この傾斜ガイド部９は、コンタクトガラス６とスリットガラス７との間に位置し、コンタクトガラス６側がスリットガラス７側よりも下方に位置している。また、この傾斜ガイド部９は、コンタクトガラス６に原稿を載置したときの基準スケールの機能を有している。
【００１７】
図３に示すように、画像読取装置２の内部には、光学走査ユニット１０と、副走査方向Ｆに沿って延びたガイドロッド１１とが配設されている。
光学走査ユニット１０は、光源等の光照射手段を含んで構成されており、コンタクトガラス６を通してコンタクトガラス６の上面に対面する原稿の画像面に光源からの光を照射することができるように構成されている。また、光学走査ユニット１０は、スリットガラス７を通してスリットガラス７の上面に対面しつつ搬送される原稿の画像面に光源からの光を照射することができるように構成されている。
【００１８】
また、光学走査ユニット１０は、コンタクトガラス６上の原稿の画像面を、主走査方向Ｓにライン走査しつつ読み取ることができるように、或いはスリットガラス７上を通過する原稿の画像を主走査方向Ｓにライン走査しつつ読み取ることができるようになっている。ここで、主走査方向Ｓは、コンタクトガラス６の上面及びスリットガラス７の上面の双方に対して平行な方向である。このように光学走査ユニット１０は、主走査方向Ｓに延びる走査領域を有していて、その走査領域内でコンタクトガラス６又はスリットガラス７を通して載置原稿又は搬送原稿の画像を読み取ることができるようになっている。
【００１９】
光学走査ユニット１０は、ガイドロッド１１によって副走査方向Ｆに移動自在に案内される一方、その副走査方向Ｆの位置に応じて、長手方向両端側の上部でコンタクトガラス６及びスリットガラス７のうち何れか片方又は双方にスライド可能に接触している。このため、光学走査ユニット１０は、ガイドロッド１１に沿って移動自在であるものの、ガイドロッド１１の中心軸回りの傾きを規制され、コンタクトガラス６及びスリットガラス７の下面に沿って副走査方向Ｆに移動できるようになっている。
光学走査ユニット１０の具体的な構成は、後述する。
【００２０】
光学走査ユニット１０は、例えば特開２０１４−０２４６１２号公報の段落［００４１］〜［００４６］、図４等に記載されていると同様の移動機構によって駆動されることにより、副走査方向Ｆに往復移動可能となっている。
【００２１】
図４を参照して、本発明の一実施形態に係る画像読取装置及びＡＤＦの構成を補足しつつ概略的な動作を説明する。図４は、本発明の一実施形態に係る画像読取装置及びＡＤＦの構成及び動作を模式化して示す模式的な断面図である。図４では、図の簡明化を図るため、図２及び図３に示した傾斜ガイド面８及び傾斜ガイド部９の図示を省略して、コンタクトガラス６とスリットガラス７との接続部を簡略化して示すと共に、接続部にシェーディングシート１９を配設している。また、図４に示すＡＤＦ３において、太矢印を含む黒太実線で記載した箇所は、ＡＤＦ３にセットされた原稿や、後述する手差し部１８から搬送される原稿の搬送経路を表わしている。
図４に示すように、画像読取装置２の光学走査ユニット１０は、案内部材であるガイドロッド１１を介し上記した移動機構によって、コンタクトガラス６の図４における下面右端部とスリットガラス７の下面左端部との間の移動経路を副走査方向Ｆに往復移動可能に設けられている。
【００２２】
光学走査ユニット１０には、図４において梨地模様で示す読取手段としての読取素子部を有するセンサユニット１２が配設されている。センサユニット１２は、光源及び主走査方向を長手方向とする密着イメージセンサ（ＣＩＳ）を保持したものからなる。尚、センサユニット１２は、これに限らず、光源、レンズ、電荷結合素子（ＣＣＤ）及びミラーを保持したもので、画像を主走査方向にライン走査することができるようになっているものでもよい。
【００２３】
光学走査ユニット１０は、ガイドロッド１１に沿って副走査方向Ｆに往復移動することで、コンタクトガラス６上に載置・セットされた原稿を読み取ったり、破線で囲んで示すＡＤＦ読取位置１３に移動したりしてＡＤＦ３で搬送された原稿の片面の読み取りを行う。図４中、左側のＡＤＦ読取位置１３に移動した光学走査ユニット１０のセンサユニット１２では、スリットガラス７の傾斜面に倣って傾斜変位（姿勢変位ないしは揺動）することで傾斜している状態が示されている。
このように、読取手段を有するセンサユニット１２は、スリットガラス７の読取面が、コンタクトガラス６の読取面に対して傾斜して形成された傾斜面に接触することで傾斜変位可能に光学走査ユニット１０に配置されている。
【００２４】
一方、ＡＤＦ３を用いて、紙などのフレキシブルな原稿を複数枚読み取る場合には、原稿台としての原稿トレイ１４に複数枚の原稿をセットする。セットされた原稿は分離部１５で１枚ずつに分離され、ＡＤＦ読取位置１３を通過する際に、上記したセンサユニット１２と、梨地模様で示すＤＦ読取素子部１６とで原稿の両面画像が同時に読み取られ、排出部としての排紙部１７に排紙される。
【００２５】
また、キャッシュカードや免許証などのハード原稿や原稿ジャムが許容されない原稿（以下、これらを総称して「ハード原稿」ともいう）は、手差し部１８からＡＤＦ読取位置１３を通過し、センサユニット１２とＤＦ読取素子部１６とで両面画像が同時に読み取られ、排紙部１７に排出される。手差し部１８から原稿を供給することにより、排紙部１７までほぼ直線状の直線搬送経路を原稿が通過することになるため、ハード原稿の通過が可能になり、ハード原稿のジャム率も減少させることが可能である。
【００２６】
図５〜図８を参照して、本発明の特徴部に係る一実施形態の構成について説明する。図５は、一実施形態の光学走査ユニットに用いられる光学走査ユニットの斜視図、図６は、図５の光学走査ユニットがＡＤＦ読取位置にあるときの姿勢状態を示す光学走査ユニット周りの断面図、図７は、光学走査ユニットをＡＤＦ読取位置に固定するときに用いられるねじの斜視図である。図８（ａ）は光学走査ユニットを図７のねじで締める前の状態を示す一部断面図、図８（ｂ）光学走査ユニットを図７のねじで締めた後の状態を示す一部断面図である。
図５及び図６に示すように、光学走査ユニット１０は、原稿を光学的に読み取る上記読取手段を有する読取ユニットとしてのセンサユニット１２と、センサユニット１２を揺動可能に支持するハウジング２３と、センサユニット１２及びハウジング２３を収容する構造体の一部をなすスキャナフレーム部５と、センサユニット１２とハウジング２３との間に圧縮状態で装着された押圧部材としての複数のばね３２とを有する。
【００２７】
センサユニット１２は、一部上述したように、光源及び主走査方向を長手方向とする密着イメージセンサを保持し、あるいは、光源、レンズ、ＣＣＤ（電荷結合素子）及びミラーを保持したもので、画像を主走査方向にライン走査することができるようになっている。センサユニット１２の両端面には、センサユニット１２が同一軸線上に位置するよう垂直に突出する回転軸１２ａが一体的に形成されている。これらの回転軸１２ａは、センサユニット１２がハウジング２３によって回転可能に支持されるときの回転支点となる。
【００２８】
センサユニット１２には、主走査方向Ｓのほぼ中央部において、センサブラケット１２ｂが傾斜して一体的に形成されている。センサブラケット１２ｂには、図７に示すねじ２１が挿通される穴２４（図８参照）が開けられている。穴２４は、センサユニット１２における主走査方向Ｓのほぼ中心に開けられている。またセンサブラケット１２ｂには、図７に示すねじ２１のピン部２２と接触・係合してセンサユニット１２の揺動を規制する規制面２６が形成されている。
【００２９】
本実施形態では、センサユニット１２とハウジング２３とが互いに揺動を規制された状態でスキャナフレーム部５に対して係止されるようにするために、固定部材として機能する図７に示すねじ２１が用いられる。
ねじ２１は、コインねじからなり、スリットが形成された頭部２１ａと、先端部に形成されたねじ部２１ｂと、頭部２１ａとねじ部２１ｂの間に一体的に形成された、ねじ部２１ｂの長手方向と直交する方向に延びたピン部２２とからなる。
尚、本実施形態では、コインねじからなるねじ２１を使用する形態で説明しているが、これに限らず、専用の工具である例えば＋ドライバ等で締め込む構成のねじなどであってもよい。
【００３０】
ハウジング２３は、筐体状をなし、図３に示したようにガイドロッド１１にスライド可能に支持された下側スライダ部２３ａと、図５及び図６に示すように、回転軸１２ａを介して、センサユニット１２を長手方向軸線回りに姿勢変化可能に保持する一対の保持腕部２３ｂとを有している。即ち、ハウジング２３は、回転軸１２ａ及びこれを挿通支持するハウジング２３の穴からなる回転支点を中心に回転可能にセンサユニット１２を支持している。
【００３１】
下側スライダ部２３ａはハウジング本体部２３ｃの長手方向中央の下部に固定された筒状体からなり、一対の保持腕部２３ｂはハウジング本体部２３ｃの両端側上部から図中左方側に突出する一対の板状体によって構成されている。
ハウジング２３には、図８に示すように、ねじ２１のねじ部２１ｂと係合するねじ穴２５が形成されている。
【００３２】
ばね３２は、圧縮コイルばねからなる。ばね３２の一端は、センサユニット１２の回転軸１２ａから図６において左方寄りのセンサユニット１２の下面に装着され、ばね３２の他端は、ハウジング本体部２３ｃの底面に装着されており、センサユニット１２の下面部分を主走査方向の複数箇所で上方側（コンタクトガラス６側、スリットガラス７側）に押し付けるように配設されている。
【００３３】
また、センサユニット１２の両端側の上部には、コンタクトガラス６及びスリットガラス７のうち少なくとも一方の下面に接触しつつ副走査方向に円滑に滑り動く、断面が半円状の突起からなる押圧部２０が形成されている。
センサユニット１２は、この押圧部２０によってコンタクトガラス６又はスリットガラス７の下面に低摩擦係数で摺動性・滑動性が良好となるように接触することができる。
尚、押圧部２０に限らず、例えば、特開２０１４−０２４６１２号公報の図５〜図９等に記載されているような、一体型走査光学ユニット（１３）の両端側の上部４箇所に設けられている半球状の突起からなる上部スライダ部（１６）でもよい。
【００３４】
上述したとおり、光学走査ユニット１０が図４におけるＡＤＦ読取位置１３にあるときには、センサユニット１２が回転軸１２ａを中心に揺動（反時計回り方向に回転）し、図６に示す姿勢で光学走査ユニット１０が配置されることとなる。
【００３５】
スキャナフレーム部５には、図８に示すように、ねじ２１を締め込んだときに、ねじ２１の頭部２１ａが埋没する埋没穴５ａと、ねじ２１のピン部２２及びねじ部２１ｂを挿通可能とする異形の穴５ｂとが形成されている。
【００３６】
次に、本実施形態の要部の動作を説明する。
先ず、図８（ａ）に示すねじ締め前の動作を説明する。この動作では、事前にねじ２１を用意しておく。そして、光学走査ユニット１０を図４に示すＡＤＦ読取位置１３に位置する状態にする。この位置状態において、スキャナフレーム部５に設けられた埋没穴５ａ、穴５ｂからねじ２１のねじ部２１ｂ及びピン部２２を挿通する共に、センサブラケット１２ｂの穴２４にねじ部２１ｂを挿通する。
【００３７】
次いで、図８（ｂ）に示すねじ締め後の動作を説明する。この動作では、ばね３２の付勢力に抗してねじ２１を更に締めることにより、ねじ２１のねじ部２１ａがハウジング２３のねじ穴２５に係合して締められる。これにより、ねじ２１に設けられたピン部２２とセンサブラケット１２ｂの規制面２６とが係合し始めることにより、センサブラケット１２ｂを介してセンサユニット１２が回転軸１２ａを中心として反時計回りに回転するモーメントが生じる。これにより、センサユニット１２の押圧部２０がスリットガラス７に当たらない状態、即ち押圧部２０がスリットガラス７から離れた非接触状態となり、センサユニット１２とハウジング２３とが互いに揺動を規制された状態でスキャナフレーム部５に対して係止、即ち光学走査ユニット１０が固定されることとなる。
【００３８】
上述したように、本実施形態では、ピン部２２を有するねじ２１を締結するだけで、センサユニット１２とハウジング２３との互いの揺動を規制し、これらセンサユニット１２とハウジング２３の構造体（スキャナフレーム部５）への係止を共に実現できる。このような簡単な構成により、揺動規制及び係止の操作性に優れるものである。
【００３９】
尚、上記実施形態に限らず、固定部材（ねじ）は画像読取装置から着脱可能としてもよい。搬送・輸送時にのみねじが締められ、搬送・輸送が終了したらサービス担当者によってねじが回収されるという態様も発明の範囲に含まれるからである。
【００４０】
以上説明したとおり、本実施形態によれば、搬送・輸送時などにセンサユニット（読取ユニット）とハウジングとが揺動し、揺動支持する結合部が破損したり、センサユニット（読取ユニット）とハウジングどうしが衝突して破損したりする不具合を未然に防止することができる。
【００４１】
ここで、従来技術を若干補足する。従来では、輸送時の破損を防ぐため、光学走査ユニットを固定するロック機構が設けられているが、解除後の移動距離低減のため、ロック機構は副走査方向の上流側に設けられることが多い。
スリットガラス（透明部材）に対し、バネ等でセンサユニットが押し当った状態でロックが掛かるため、輸送時の振動、衝撃により、スリットガラスに傷が付いたり、センサユニットの押圧部が擦れて画像読取装置内部にゴミが出るなども問題もある。本実施形態によれば、上述したとおり、上記問題も解消できる。
【００４２】
図９を参照して、図１〜図８に示した一実施形態の変形例を説明する。図９（ａ）は変形例に係る光学走査ユニットを図７のねじで締める前の状態を示す一部断面図、図９（ｂ）変形例に係る光学走査ユニットを図７のねじで締めた後の状態を示す一部断面図である。
図９の変形例は、図１〜図８の一実施形態と比較して、光学走査ユニット１０に代えて、光学走査ユニット１０Ａを用いることのみ相違する。
光学走査ユニット１０Ａは、光学走査ユニット１０と比較して、ハウジング２３に代えて、ハウジング２３Ａを用いることのみ相違する。ハウジング２３Ａは、ハウジング２３と比較して、ねじ２１のねじ部２１ａの先端が貫通するねじ穴２５に代えて、ねじ部２１ａの先端の貫通を阻止する底壁２７有りのねじ穴２５Ａであることが相違する。
【００４３】
上記変形例によれば、ねじ２１のねじ部２１ａの先端がねじ穴２５を貫通せず、ハウジングの２３Ａのねじ穴底壁２７に当たるので、固定時、ねじ２１の締まる量を規制できる。ねじを締めすぎると、ハウジングを引き寄せすぎて、センサユニットの穴部付近が、ハウジングとねじのピン部に挟まれ破損してしまう虞があるが、ねじの締める量を規制できるため、これを未然に防止できる。
【００４４】
上記実施形態及び変形例には、実質的に以下の態様及び効果が記載されていたと言える。
即ち、第１の態様は、原稿を光学的に読み取るイメージセンサなどの読取手段を有するセンサユニット１２などの読取ユニットと、読取ユニットを揺動可能に支持するハウジング２３などのハウジングと、読取ユニット及びハウジングを収容するスキャナフレーム部５などの構造体と、ハウジング及び読取ユニットの少なくとも何れか一方に設けられたねじ穴２５などの被固定部と、を備え、ねじ２１などの固定部材を被固定部に固定することにより、読取ユニットとハウジングとが互いに揺動を規制された状態で構造体に対して係止される。
【００４５】
かかる構成により、第１の態様によれば、搬送・輸送時などにセンサユニット（読取ユニット）とハウジングとが揺動し、揺動支持する結合部が破損したり、センサユニット（読取ユニット）とハウジングどうしが衝突して破損したりする不具合を未然に防止することができる。
【００４６】
第２の態様は、第１の態様において、読取ユニットは、読取手段によって原稿が読み取られる主走査方向Ｓなどの読取方向と直交する直交方向に移動可能に構成されており、被固定部を、読取ユニットの読取方向のほぼ中心に設けた。
かかる構成により、第２の態様によれば、読取方向では、光学走査ユニット（読取ユニット及びハウジング）の重心が中心付近に来ることが多く、より安定した位置で光学走査ユニット（読取ユニット及びハウジング）を固定できる。
【００４７】
第３の態様は、第１又は第２の態様において、固定部材は、先端部に形成されたねじ２１ａなどのねじ部と、該ねじ部の長手方向と直交する方向に延びたピン部２２などのピン部とからなり、記読取ユニットの被固定部には、固定部材のねじ部が挿通される穴２４などの穴と、ピン部と係合して読取ユニットの揺動を規制する規制面２６などの規制面とが形成され、ハウジングの被固定部には、ねじ部が締め込まれるねじ穴２５などのねじ穴が形成されている。
【００４８】
第４の態様は、第３の態様において、ハウジングの被固定部は、ねじ部の先端の貫通を阻止する底壁有りのねじ穴であり、ねじ部が底壁有りのねじ穴に締め込まれたときに、ピン部が読取ユニットの規制面と係合することにより、読取ユニットの揺動が規制される。
かかる構成により、第４の態様によれば、ねじのねじ部の先端がねじ穴を貫通せず、ハウジングのねじ穴の底壁に当たるので、固定時、ねじの締まる量を規制できる。
【００４９】
第５の態様は、第３又は第４の態様において、固定部材は、コインねじである。
かかる構成により、第５の態様によれば、ユーザやサービス担当者がドライバなどの専用工具を使わず、より容易に（読取ユニット及びハウジング）を固定できる。
【００５０】
第６の態様は、第１ないし第５の何れか１つの態様において、原稿を載置するコンタクトガラス６などの静止原稿読取部と、静止原稿読取部の読取面に対して傾斜した読取面を有して接続する、原稿が通過するスリットガラス７などの移動原稿読取部と、移動原稿読取部を通過した原稿を排出する排紙部１７などの排出部と、移動原稿読取部を通り排出部に原稿をほぼ直線状に搬送する直線搬送経路と、静止原稿読取部の読取面と、移動原稿読取部の傾斜した読取面とに読取手段を押圧する、読取ユニットとハウジングとの間に設けられたばね３２などの押圧部材と、を備え、読取ユニット及びハウジングは、静止原稿読取部と移動原稿読取部との間を往復移動可能に設けられている。
【００５１】
第７の態様は、第６の態様において、読取手段は、静止原稿読取部の読取面と、移動原稿読取部の傾斜した読取面とに接触することで傾斜変位可能に読取ユニットに配置され、静止原稿読取部に載置された原稿の画像と移動原稿読取部を通過する原稿の画像とを選択的に読み取るように構成されており、読取手段が移動原稿読取部の読取面に接触しない位置状態で、読取ユニットとハウジングとが構造体に対して係止される。
【００５２】
第８の態様は、第１ないし第７の何れか１つの態様において、移動原稿読取部に原稿を搬送する自動原稿搬送装置を備えている。
【００５３】
第９の態様は、第１ないし第８の何れか１つの態様の画像読取装置を備えた画像形成装置である。
【００５４】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。例えば、上記実施形態や実施例等に記載した技術事項を適宜組み合わせたものであってもよい。
【００５５】
課題を解決するための手段に記載のように、固定部材（ねじ）は画像読取装置の構成要件としていない。これは、例えば搬送・輸送時にのみ、ねじが締められ、搬送・輸送が終了したらサービス担当者によってねじが回収されることもありえるためである。
【００５６】
課題を解決するための手段に記載の「ハウジング及び読取ユニットの少なくとも何れか一方に設けられた被固定部」は、以下の態様を含むものである。即ち、実施形態では、被固定部としてのねじ穴２５はハウジング２３に設けられていたが、センサユニット１２側にねじが係合する穴を設けた上で、センサユニット１２に対してハウジング２３の揺動を規制する構成（ピン部２２など）を有するような態様に置き換えることも可能である。
【００５７】
本発明の実施の形態に適宜記載された効果は、本発明から生じる最も好適な効果を列挙したに過ぎず、本発明による効果は、本発明の実施の形態に記載されたものに限定されるものではない。
【符号の説明】
【００５８】
１    画像形成装置
２    画像読取装置
３    ＡＤＦ
４    スキャナカバー部
５    スキャナフレーム部（構造体の一例）
６    コンタクトガラス
７    スリットガラス
１０、１０Ａ    光学走査ユニット
１１    ガイドロッド
１２    センサユニット（読取ユニットの一例）
１３    ＡＤＦ読取位置
１４    原稿トレイ
１５    分離部
１６    ＤＦ読取素子部
１７    排紙部
１８    手差し部
２０    押圧部
２１    ねじ（固定部材の一例）
２２    ピン部
２３    ハウジング
２４    穴
２５    ねじ穴（被固定部の一例）
２６    規制面
２７    ねじ穴の底壁
３２    押圧部材
【先行技術文献】
【特許文献】
【００５９】
【特許文献１】特開平０９−２３８２１６号公報
【図１】
2019161555.tif 000003
【図２】
2019161555.tif 000004
【図３】
2019161555.tif 000005
【図４】
2019161555.tif 000006
【図５】
2019161555.tif 000007
【図６】
2019161555.tif 000008
【図７】
2019161555.tif 000009
【図８】
2019161555.tif 000010
【図９】
2019161555.tif 000011